(57)【特許請求の範囲】
【請求項１】
任意の情報を表示する第１の表示板と、他の任意の情報を表示する第２の表示板とを備え、各表示板を前端側に着脱自在に保持するようにしたショーケースの商品棚において、
前記第１の表示板の下端側を保持する第１の保持部と、
第１の保持部に保持された第１の表示板の上端側とその背面側に位置する所定の部材との間に第２の表示板を保持する第２の保持部とを備えた
ことを特徴とするショーケースの商品棚。
【請求項２】
前記第１の表示板の上端側を透明に形成した
ことを特徴とする請求項１記載のショーケースの商品棚。
【請求項３】
前記第１及び第２の表示板の少なくとも一方の表面と裏面に互いに異なった情報を表示した
ことを特徴とする請求項１または２記載のショーケースの商品棚。
【請求項４】
前記第１及び第２の表示板の何れか一方の表面に冷めたい商品を示す表示をし、その裏面には温かい商品を示す表示をした
ことを特徴とする請求項１または２記載のショーケースの商品棚。
【請求項５】
前記第１及び第２の表示板の何れか一方に商品の価格を表示した
ことを特徴とする請求項１、２、３または４記載のショーケースの商品棚。
【発明の詳細な説明】
【０００１】
【発明の属する技術分野】
本発明は、各種飲食物の小売店または飲食店等の店内に設置されるショーケースの商品棚に関するものである。
【０００２】
【従来の技術】
従来、この種のショーケースとしては、例えば特開２０００−２３７０００公報等に記載されているように、前面、背面及び両側面を透明ガラス板で囲まれた商品収納部と、商品収納部内に互いに上下方向に間隔をおいて設けられた複数の商品棚とを備え、各商品棚に任意の商品を陳列するようにしたものが知られている。
【０００３】
このショーケースでは、商品収納部内を上下に仕切り、その上方を加熱し、下方を冷却することにより、商品収納部内に温蔵室と冷蔵室とを形成するようにしている。この場合、温蔵室内の商品は、商品棚に設けた加熱プレートによって加熱され、冷蔵室内の商品は、室内を循環する冷気によって冷却されるようになっている。
【０００４】
また、前記商品棚には商品の価格を表示する価格表示板が取付けられている。即ち、図１０に示す商品棚１０は、棚板１１の前端側に価格表示板１２を保持する保持部材１３を有し、保持部材１３は価格表示板１２の上端及び下端を保持するように形成されている。また、保持部材１３には価格表示板１２に代えて冷温表示板が取付けられる場合もある。
【０００５】
【発明が解決しようとする課題】
しかしながら、前記保持部材１３に価格表示板１２が取付けられている場合には、保持部材１３に冷温表示板を取付けることができないため、商品棚１０に価格表示と冷温表示の両方を表示することができないという問題点があった。
【０００６】
また、商品の価格と冷温表示の両方を表示させるため、商品棚に価格表示板を取付けて冷温表示板をショーケースのガラス扉に取付ける場合もあるが、この場合は商品棚の上下位置の変更に対応するため、ガラス扉の上下方向複数箇所に冷温表示板用の取付部を設けなければならず、構造が複雑になるとともに、商品棚の上下位置を変更する度に冷温表示板も対応位置に移動させなければならず、作業が煩雑になるという問題点があった。
【０００７】
本発明は前記問題点に鑑みてなされたものであり、その目的とするところは、例えば商品価格板と冷温表示板のように異なった情報を表示した表示板をそれぞれ取付けることのできるショーケースの商品棚を提供することにある。
【０００８】
【課題を解決するための手段】
本発明は前記目的を達成するために、請求項１では、任意の情報を表示する第１の表示板と、他の任意の情報を表示する第２の表示板とを備え、各表示板を前端側に着脱自在に保持するようにしたショーケースの商品棚において、前記第１の表示板の下端側を保持する第１の保持部と、第１の保持部に保持された第１の表示板の上端側とその背面側に位置する所定の部材との間に第２の表示板を保持する第２の保持部とを備えている。
【０００９】
これにより、第１の表示板が第１の保持部に保持され、第２の表示板が第２の保持部に保持されることから、各表示板の両方が取付けられ、各表示板の情報が同時に表示される。この場合、第１の表示板の上端側とその背面側に位置する部材との間に第２の保持部が形成されることから、第１の表示板の一部を利用して第２の表示板が保持される。
【００１０】
また、請求項２では、請求項１記載のショーケースの商品棚において、前記第１の表示板の上端側を透明に形成している。
【００１１】
これにより、請求項１の作用に加え、第２の保持部に保持された第２の表示板が第１の表示板の透明部分を介して外部から目視されることから、第２の表示板を第２の保持部から外部に露出させることなく各表示板の情報が上下二段に一体的に表示される。
【００１２】
また、請求項３では、請求項１または２記載のショーケースの商品棚において、前記第１及び第２の表示板の少なくとも一方の表面と裏面に互いに異なった情報を表示している。
【００１３】
これにより、請求項１または２の作用に加え、表示板を裏返すことにより、表面の情報と裏面の情報の何れか一方を選択的に表示することができる。
【００１４】
また、請求項４では、請求項１または２記載のショーケースの商品棚において、前記第１及び第２の表示板の何れか一方の表面に冷めたい商品を示す表示をし、その裏面には温かい商品を示す表示をしている。
【００１５】
これにより、請求項１または２の作用に加え、第１及び第２の表示板の一方に表示された商品の冷温表示が他方の表示板に表示された他の情報と共に表示され、第１または第２の表示板を裏返すことにより、冷めたい商品を示す表示と温かい商品を示す表示の何れか一方を選択的に表示することができる。この場合、第１及び第２の表示板の一方に表示された商品の冷温表示が他方の表示板に表示された他の情報と共に表示される。
【００１６】
また、請求項５では、請求項１、２、３または４記載のショーケースの商品棚において、前記第１及び第２の表示板の何れか一方に商品の価格を表示している。
【００１７】
これにより、請求項１、２、３または４の作用に加え、第１及び第２の表示板の一方に表示された商品の価格が他方の表示板に表示された他の情報と共に表示される。
【００１８】
【発明の実施の形態】
図１乃至図９は本発明の一実施形態を示すもので、図１はショーケースの全体斜視図、図２はその概略正面断面図、図３及び図４は商品棚の斜視図、図５は冷温表示板の正面及び背面図、図６は価格表示板の正面図、図７乃至図９は商品棚の要部側面断面図である。
【００１９】
このショーケースは、縦長に形成されたショーケース本体１と、ショーケース本体１内に形成された商品収納部２と、ショーケース本体１の下部に形成された機械室３と、商品収納部２内の上方に設けられた複数の加熱用商品棚４と、商品収納部２内の下方に設けられた複数の冷却用商品棚５と、商品収納部２内を任意の加熱用商品棚４の位置で仕切る仕切板６とを備え、各商品棚４，５はそれぞれ前方に向かって下り傾斜をなすように設けられている。
【００２０】
ショーケース本体１は商品収納部２の前面及び背面をそれぞれ開閉する透明ガラス製の扉１ａを有し、商品収納部２の両側面は同じく透明ガラス製の側板１ｂによってそれぞれ覆われている。また、商品収納部２の周囲にはそれぞれ柱状部材をなす計４本の化粧枠１ｃが立設され、各化粧枠１ｃの上端には商品収納部２の上面を覆う天板１ｄが取付けられている。
【００２１】
商品収納部２は底面板２ａによって機械室３側と仕切られており、仕切板６の上方に温蔵室２ｂを形成し、その下方には冷蔵室２ｃを形成している。
【００２２】
機械室３は断熱壁３ａによって囲まれた通風路３ｂを有し、通風路３ｂの一端側及び他端側はそれぞれ商品収納部２内に連通している。通風路３ｂ内には蒸発器３ｃ及び送風機３ｄが設けられ、通風路３ｂの一端側から吸入した商品収納部２の空気を蒸発器３ｃによって冷却し、通風路３ｂの他端側から商品収納部２側へ吐出するようになっている。尚、図示していないが、機械室３内には蒸発器３ｃに接続された冷凍回路の圧縮機、凝縮器等の冷凍機器が収容されている。
【００２３】
加熱用商品棚４は、商品を載置する棚板４ａと、棚板４ａ上を幅方向に仕切る複数の仕切部材４ｂと、棚板４ａの前端側及び幅方向両側にそれぞれ設けられたガード部材４ｃとを備え、棚板４ａの商品棚４の前端側及び後端側の幅方向両側には、商品収納部２側の取付孔（図示せず）に挿入される棒状の挿入部材４ｄが取付けられている。また、棚板４ａの下面には棚板４ａを加熱する加熱プレート４ｅが取付けられている。
【００２４】
冷却用商品棚５は、商品を載置する棚板からなり、加熱用商品棚４と同様、商品収納部２内の上下方向任意の位置に取付けられるようになっている。
【００２５】
仕切板６は各加熱用商品棚４の下面に対して着脱自在に構成され、その幅方向両端側には商品収納部２の内面との隙間を開閉する断熱性の開閉板６ａが設けられている。
【００２６】
また、商品棚４の前端側には、第１の表示板としての冷温表示板７と、第２の表示板としての価格表示板８が着脱自在に取付けられる。即ち、商品棚４の前端側には冷温表示板７及び価格表示板８を保持する保持部材９が取付けられ、保持部材９は、冷温表示板７の下端側に配置される下端側保持板９ａと、冷温表示板７及び価格表示板８の背面側に配置される背面側保持板９ｂとからなる。下端側保持板９ａは棚板４ａの下端から前方に水平に延び、その先端部を上方に屈曲させている。背面側保持板９ｂは棚板４ａの下端から下端側保持板９ａに沿って前方に水平に延びるとともに、下端側保持板９ａの先端部よりもやや後方から上方に屈曲し、価格表示板８及び冷温表示板７の背面側に沿うように上方に延びている。即ち、下端側保持板９ａの先端部と背面側保持板９ｂの下端側前端部との間に冷温表示板７の下端側を保持する第１の保持部９ｃが形成される。また、背面側保持板９ｂの上下方向ほぼ中央には冷温表示板７の背面と当接するスペーサ９ｄが設けられ、スペーサ９ｄによって冷温表示板７の上端側と背面側保持板９ｂとの間の隙間に価格表示板８を保持する第２の保持部９ｅが形成されるようになっている。
【００２７】
冷温表示板７は横長に形成されたアクリル等の透明板からなり、その下端側半分は所定の色に着色された表示部７ａを形成し、その上端側半分は非着色の透明部７ｂを形成している。即ち、冷温表示板７の表側の表示部７ａは、例えば青色に着色されるとともに、図５(a) に示すようにコールド商品を示す「つめた〜い」の文字が表示されている。また、冷温表示板７の裏側の表示部７ａは、例えば赤色に着色されるとともに、図５(b) に示すようにホット商品を示す「あったか〜い」の文字が表示されている。
【００２８】
価格表示板８は横長に形成された厚紙またはアクリル板等からなり、上下方向の寸法は価格表示板８の略半分に形成されている。また、価格表示板８の表面には、図６(a) に示すように商品名とその価格を示す「コーヒー  ￥１２０」の文字が表示されている。
【００２９】
以上のように構成されたショーケースにおいては、図２に示すように下方の加熱用商品棚４の下面に取付けられた仕切板６によって商品収納部２内が上下方向に仕切られ、これにより仕切板６の上方に温蔵室２ｂが形成され、その下方に冷蔵室２ｃが形成される。即ち、温蔵室２ｂ内は各加熱用商品棚４の加熱プレート４ａによって加熱され、冷蔵室２ｃ内は機械室３の蒸発器３ｃによって冷却される。その際、温蔵室２ｂ内の空気は、図中破線矢印で示すように温蔵室２ｂ内の加熱用商品棚４と商品収納部２の内面との隙間を流通し、冷蔵室２ｃ内の空気は、図中実線矢印で示すように冷蔵室２ｃ内の各商品棚４，５と商品収納部２の内面との隙間を流通する。
【００３０】
また、前記商品棚４に価格表示板８及び冷温表示板７を取付ける場合には、まず、図７に示すように冷温表示板７を第１の保持部９ｃに挿入する。これにより、図８に示すように冷温表示板７の下端が第１の保持部９ｃに保持されるとともに、第１の保持部９ｃの背面がスペーサ９ｄに当接し、冷温表示板７の上端側と背面側保持板９ｂとの間に第２の保持部９ｅが形成される。そして、第２の保持部９ｅに価格表示板８を挿入することにより、図９に示すように価格表示板８が第２の保持部９ｅに保持される。この場合、図６(b) に示すように価格表示板８は冷温表示板７の透明部７ｂを介して外部から目視することができる。
【００３１】
このように、本実施形態によれば、商品棚４の前端側に、冷温表示板７を保持する第１の保持部９ｃと、価格表示板８を保持する第２の保持部９ｅとを設けたので、商品棚４に冷温表示板７及び価格表示板８の両方を取付けすることができ、商品の価格のみならず、コールド商品及びホット商品の別を商品棚４に的確に表示することができる。
【００３２】
この場合、第１の保持部９ｃによって冷温表示板７の下端を保持し、冷温表示板７の上端側とその背面側に位置する背面側保持板９ｂとの間に第２の保持部９ｅを形成するようにしたので、冷温表示板７の一部を利用して価格表示板８を保持することができ、構造の簡素化及び外観の向上を図ることができる。
【００３３】
更に、冷温表示板７の上端側を透明に形成することにより、第２の保持部９ｅに保持された価格表示板８を外部から目視できるようにしたので、価格表示板８を第２の保持部９ｅから上方に露出させることなく商品価格と冷温表示とを上下二段に一体的に表示することができ、小型で見やすい表示部分を構成することができる。
【００３４】
また、冷温表示板７の表側にコールド商品を示す表示をし、その裏面にはホット商品を示す表示をしたので、冷温表示板７を裏返すことにより、コールド商品及びホット商品の何れか一方を選択的に表示することができ、冷温表示の切換えを極めて容易に行うことができる。
【００３５】
尚、前記実施形態では、第１の表示板としての冷温表示板７と、第２の表示板としての価格表示板８を取付けるようにしたものを示したが、冷温表示板７または価格表示板８に代えて商品の宣伝広告等、他の情報を表示した表示板を取付けたり、或いは冷温表示板７または価格表示板８に宣伝広告等を併せて表示するようにしてもよい。また、価格表示板を第１の表示板とし、冷温表示板を第２の表示板とすることも可能であるし、第１及び第２の表示板の両者の表面及び裏面にそれぞれ異なった情報を表示するようにしてもよい。
【００３６】
更に、前記実施形態では、前面、背面及び両側面を透明ガラスで覆うようにしたショーケースを示したが、例えば前面を開口したオープンショーケースなど、他の形態のショーケースにも本発明を適用することができる。
【００３７】
【発明の効果】
以上説明したように、請求項１のショーケースの商品棚によれば、第１及び第２の表示板の両方を取付けることができるので、各表示板に表示された情報をそれぞれ同時に表示することができる。この場合、第１の表示板の一部を利用して第２の表示板を保持することができるので、構造の簡素化及び外観の向上を図ることができる。
【００３８】
また、請求項２のショーケースの商品棚によれば、請求項１の効果に加え、第２の保持部に保持された第２の表示板を第１の表示板の透明部分を介して外部から目視することができるので、第２の表示板を第２の保持部から外部に露出させることなく各表示板の情報を上下二段に一体的に表示することができ、小型で見やすい表示部分を構成することができる。
【００３９】
また、請求項３のショーケースの商品棚によれば、請求項１または２の効果に加え、表示板を裏返すことにより、表面の情報と裏面の情報の何れか一方を選択的に表示することができるので、各情報の表示切換えを極めて容易に行うことができる。
【００４０】
また、請求項４のショーケースの商品棚によれば、請求項１または２の効果に加え、第１または第２の表示板を裏返すことにより、冷めたい商品を示す表示と温かい商品を示す表示の何れか一方を選択的に表示することができるので、冷温表示の切換えを極めて容易に行うことができる。この場合、第１及び第２の表示板の一方に表示された商品の冷温表示を他方の表示板に表示された他の情報と共に表示することができるので、例えば他方の表示板に商品の価格を表示することにより、価格表示と冷温表示とを同時に行うことができる。
【００４１】
また、請求項５のショーケースの商品棚によれば、請求項１、２、３または４の効果に加え、第１及び第２の表示板の一方に表示された商品の価格を他方の表示板に表示された他の情報と共に表示することができるので、例えば他方の表示板に商品の冷温表示をすることにより、価格表示と冷温表示とを同時に行うことができる。
【図面の簡単な説明】
【図１】本発明の一実施形態を示すショーケースの全体斜視図
【図２】ショーケースの概略正面断面図
【図３】商品棚の一部分解斜視図
【図４】商品棚の斜視図
【図５】冷温表示板の正面及び背面図
【図６】価格表示板の正面図
【図７】商品棚の要部側面断面図
【図８】商品棚の要部側面断面図
【図９】商品棚の要部側面断面図
【図１０】従来例を示す商品棚の要部側面断面図
【符号の説明】
４…加熱用商品棚、７…冷温表示板、７ｂ…透明部、８…価格表示板、９…保持部材、９ｃ…第１の保持部、９ｅ…第２の保持部。
【図１】
0003850318.tif 000002
【図２】
0003850318.tif 000003
【図３】
0003850318.tif 000004
【図４】
0003850318.tif 000005
【図５】
0003850318.tif 000006
【図６】
0003850318.tif 000007
【図７】
0003850318.tif 000008
【図８】
0003850318.tif 000009
【図９】
0003850318.tif 000010
【図１０】
0003850318.tif 000011